(57)【要約】【課題】圧縮されて内部のペースト材を使い切った袋部を交換する際、圧縮された袋部の内部に指を挿入することなく袋部を取出すことのできるペースト材押出し器を提供する。【解決手段】円筒状をしたシリンダ部１に内部にペースト材２を充填した袋部３を装填し、該袋部３の前記シリンダ部１の前端側の開口に臨む部分を開口すると共に、前記シリンダ部１の前端側の開口縁１ａにペースト材２を吐出するためのノズル４４を有するキャップ部４を着脱自在に取付け、シリンダ部１の後端側よりピストン部５にて袋部３を前端側に向けて押圧して該袋部３内のペースト材２を前記ノズル４４より吐出するペースト材押出し器である。シリンダ部１の前端側の開口縁１ａに指が挿入可能な切欠１１を形成した。【選択図】        図１
2004167317.tif 000002
【特許請求の範囲】
【請求項１】
円筒状をしたシリンダ部に内部にペースト材を充填した袋部を装填し、該袋部の前記シリンダ部の前端側の開口に臨む部分を開口すると共に、前記シリンダ部の前端側の開口縁にペースト材を吐出するためのノズルを有するキャップ部を着脱自在に取付け、シリンダ部の後端側よりピストン部にて袋部を前端側に向けて押圧して該袋部内のペースト材を前記ノズルより吐出するペースト材押出し器において、シリンダ部の前端側の開口縁に指が挿入可能な切欠を形成して成ることを特徴とするペースト材押出し器。
【請求項２】
円筒状をしたシリンダ部に内部にペースト材を充填した袋部を装填し、該袋部の前記シリンダ部の前端側の開口に臨む部分を開口すると共に、前記シリンダ部の前端側の開口縁にペースト材を吐出するためのノズルを有するキャップ部を着脱自在に取付け、シリンダ部の後端側よりピストン部にて袋部を前端側に向けて押圧して該袋部内のペースト材を前記ノズルより吐出するペースト材押出し器において、袋部に上記シリンダ部の前端側の開口縁にて折り返されてシリンダ部の外側面に位置する引張り部を設けて成ることを特徴とするペースト材押出し器。
【発明の詳細な説明】
【０００１】
【発明の属する技術分野】
本発明は、建築現場等でシーリング材や接着剤等のペースト材を押出す為に使用するペースト材押出し器に関する。
【０００２】
【従来の技術】
従来より、建築現場等でシーリング材や接着剤等のペースト材を使用する際、いわゆるシーリングガン等のペースト材を押出すペースト材押出し器にてペースト材を押出して必要箇所に付着させるものである。
【０００３】
ペースト材押出し器としては、把持部を有する本体部と、ペースト材が充填されたの袋部を内部に装填した円筒状のシリンダ部を本体部に装着し、本体部にスライド自在に設けてあるピストン部にてシリンダ部内の袋部を押圧してペースト材を搾り出すものがある（例えば特許文献１参照）。
【０００４】
このペースト材押出し器は、ピストン部を押し切って袋部を圧縮して内部のペースト材を使い切ると、ペースト材が充填してある新たな袋部に入れ替えて使用するものである。
【０００５】
しかしながら、このような従来のペースト材押出し器にあっては、圧縮された袋部がシリンダ部の内面に強く圧接された状態となっており、袋部を取出す際、袋部の内部に指を入れてこの袋部を指で摘まんで引張り出さなければならず、指にペースト材が付着して指が汚れると共に、これによって引張る力が増大してしまうという問題があった。
【０００６】
【特許文献１】
特開２００２−１７７８３９号公報
【０００７】
【発明が解決しようとする課題】
本発明は上記の点に鑑みて発明したものであって、その目的とするところは、圧縮されて内部のペースト材を使い切った袋部を交換する際、圧縮された袋部の内部に指を挿入することなく袋部を取出すことのできるペースト材押出し器を提供することを課題とするものである。
【０００８】
【課題を解決するための手段】
上記課題を解決するために本発明のペースト材押出し器にあっては、円筒状をしたシリンダ部１に内部にペースト材２を充填した袋部３を装填し、該袋部３の前記シリンダ部１の前端側の開口に臨む部分を開口すると共に、前記シリンダ部１の前端側の開口縁１ａにペースト材２を吐出するためのノズル４４を有するキャップ部４を着脱自在に取付け、シリンダ部１の後端側よりピストン部５にて袋部３を前端側に向けて押圧して該袋部３内のペースト材２を前記ノズル４４より吐出するペースト材押出し器において、シリンダ部１の前端側の開口縁１ａに指が挿入可能な切欠１１を形成して成ることを特徴とするものである。このような構成とすることで、切欠１１に外側から指を挿入して袋部３の外側面のみに触れて袋部３を取り出すことができて、指にペースト材２が付着して汚れることがないものである。
【０００９】
また、本発明のペースト材押出し器にあっては、円筒状をしたシリンダ部１に内部にペースト材２を充填した袋部３を装填し、該袋部３の前記シリンダ部１の前端側の開口に臨む部分を開口すると共に、前記シリンダ部１の前端側の開口縁１ａにペースト材２を吐出するためのノズル４４を有するキャップ部４を着脱自在に取付け、シリンダ部１の後端側よりピストン部５にて袋部３を前端側に向けて押圧して該袋部３内のペースト材２を前記ノズル４４より吐出するペースト材押出し器において、袋部３に上記シリンダ部１の前端側の開口縁１ａにて折り返されてシリンダ部１の外側面に位置する引張り部３２を設けて成ることを特徴とするものである。このような構成とすることで、引張り部３２を引張るだけで袋部３を取り出すことができて、指にペースト材２が付着して汚れることがないものである。
【００１０】
【発明の実施の形態】
以下、本発明を添付図面に示す実施の形態に基づいて説明する。
【００１１】
ペースト材押出し器は、図１及び図２等に示すように、把持部６１を有する本体部６に内部にペースト材２の袋部３を装填した円筒状のシリンダ部１を装着して主体が構成される。
【００１２】
本体部６は、図２に示すように、下端部に手で握る把持部６１が形成されると共に、前方に向けてシリンダ装着部６２が突設される。把持部６１は、拳銃のグリップの様な形状をしたもので、本体部６の下端部に下方に向けて突設してある。シリンダ装着部６２は、本体部６から前方に向けて突設される上方に開口した大略コ字状をしたもので、このコ字内にシリンダ部１の円筒側面が嵌め込まれる。また、本体部６には、シリンダ装着部６２が前方に向けて突出する部分にピストン軸挿通部が形成してあり、ピストン部５の軸部５１が前後にスライド自在に挿通してある。
【００１３】
ピストン部５は、図２に示すように、前後に長くて上記本体部６のピストン軸挿通部に挿通される軸部５１と、この軸部５１の前端部に設けられるピストン板部５２と、軸部５１の後端部に設けられる操作部５３とからなる。ピストン板部５２は、シリンダ部１内に挿入されてその内部に装填される袋部３を押圧するもので、該袋部３を直接押圧する押圧部５４がピストン板部５２の前面側に取り付けてある。押圧部５４は、その外径がシリンダ部１の内径とほぼ同じかそれより若干小径となるように形成してあり、シリンダ部１内の前方側の袋部３を押圧可能となっている。また、軸部５１の後端部に設けられる操作部５３は、本実施形態では軸部５１を折り曲げて形成してある。
【００１４】
このような本体部６のシリンダ装着部６２には上述したようにシリンダ部１が装着されるもので、シリンダ部１は円筒状に形成してある。シリンダ部１はシリンダ装着部６２に装着された際、後端部が本体部６のピストン軸挿通部の周辺に当接するもので、前端部には後述するキャップ部４が取付けられる。このシリンダ部１内には、ペースト材２を充填した袋部３が装填される。また、シリンダ部１には、本発明である指が挿入可能な切欠１１を前端側の開口縁１ａに形成するものである。
【００１５】
袋部３は、図１，図３及び図４等に示すようなもので、腸詰めのウィンナー状に形成してある。この袋部３は、シリンダ部１内に装填された際に前端部に内部のペースト材２を吐出するための開口を形成するものである。袋部３内に充填されるペースト材２は、通常はシーリング材やコーキング材、接着剤等であるが、特に限定されない。
【００１６】
また、シリンダ部１の前端側の開口縁１ａには、キャップ部４を着脱自在に取付けるものである。キャップ部４は、シリンダ部１の前端部の外側面に沿う筒状をした側面部４１と、該側面部４１の前端の開口を覆う前端面部４２と、該前端面部４２の中央部に形成された開口部４３及びこの開口部４３に着脱自在に取付けられるノズル４４とで構成される。この前端面部４２に形成される開口部４３は本実施形態では前方に突出する円筒状に形成してあり、この円筒状をした開口部４３にノズル４４が取付けられる。ノズル４４は、図３等に示すように円錐状をしたもので、先端側に略円形状をした吐出口を開口するものであり（図４参照）、円錐状の底縁部をキャップ部４の開口部４３に被嵌して着脱自在に取付けてある。なおこのようなノズル４４は、図３に示すようなものではなく、吐出口が小さな円形状ではなくて長い矩形状に形成してもよく、特に限定されない。
【００１７】
このようなペースト材押出し器を用いてペースト材２をノズル４４から外部に押出す為には、まず、シリンダ部１内にペースト材２を充填した袋部３を装填すると共に（図３参照）、この袋部３の前端側に開口を形成して内部のペースト材２を吐出可能な状態とする（図４参照）。なお、図中のＨは袋部３を切断するためのはさみ等の切断具を示す。次に、キャップ部４をシリンダ部１に取付けると共にシリンダ部１を本体部６のシリンダ装着部６２に装着する（図５参照、ただし本体部６及びピストン部５は図示省略）。そして、本体部６の把持部６１を握った状態でピストン部５の操作部５３を前方に押し込んでいく。これにより、ピストン板部５２が袋部３の後端部を前方に向けて押圧し、袋部３が圧縮されて内部のペースト材２が袋部３の開口より吐出されてノズル４４に流入し、ノズル４４の先端の吐出口から吐出されるものである。
【００１８】
このようにして、使用する分のペースト材２をピストン部５を押し込んでノズル４４より吐出させることができ、また、ピストン部５を押しきることで袋部３を完全に圧縮して内部のペースト材２を使い切ることができる（図６参照）。
【００１９】
次に、ペースト材２を使い切った後の袋部３の交換について説明する。まず、シリンダ部１を本体部６のシリンダ装着部６２から外し、次いでキャップ部４をシリンダ部１から外す。この時、シリンダ部１内の前端の開口縁１ａ付近には圧縮された袋部３が嵌め込まれた状態となっている。袋部３は圧縮されてシリンダ部１の内面に強く圧接された状態となっているが、シリンダ部１の開口縁１ａに形成した切欠１１に外側より指を挿入して圧縮された袋部３の外側面を押すと共に前端側に力を加えて袋部３を取り外すことができる。
【００２０】
このように、シリンダ部１の前端側の開口縁１ａに指が挿入可能な切欠１１を形成してあることで、該切欠１１を形成していない場合には圧縮された袋部３の内部に指を入れて袋部３を摘まんで引張り出さなければならないところを、上記切欠１１に外側から指を挿入して袋部３の外側面のみに触れて取り外すことができて、袋部３の内部に指を入れて引張るという煩わしい作業を行わなくてすむものである。ちなみに前記煩わしい作業の欠点は、内部に指を入れるために指にペースト材２が付着して汚れ、且つこのために引張る力が増大することが挙げられる。
【００２１】
なお、このような切欠１１は、シリンダ部１の前端側の開口縁１ａの対向する２箇所に設けることが好ましい。このように形成しておくと、圧縮された袋部３を取外す際、人差し指及び親指等の２本の指をそれぞれ対向する切欠１１に挿入して袋部３を挟持することができて袋部３を取外し易くなるものである。
【００２２】
次に、他の実施形態について図７に基づいて説明する。なお、上実施形態と重複する部分については説明を省略し、異なる部分についてのみ説明する。
【００２３】
本実施形態は、シリンダ部１の前端側の開口縁１ａに切欠１１を形成するものではなく、袋部３に引張り部３２を設けておき、袋部３をシリンダ部１に装填した時、引張り部３２がシリンダ部１の前端側の開口縁１ａにて折り返されてシリンダ部１の外面側に位置するようにするものである。
【００２４】
このようにした場合、ペースト材２を使い切って袋部３を交換する際、キャップ部４をシリンダ部１から取り外した時に引張り部３２がシリンダ部１の外側面に位置しているため、引張り部３２及び上例のような切欠１１を形成していない場合のように、圧縮された袋部３の内部に指を入れて袋部３を摘まんで引張り出したりすることなく引張り部３２を引張るだけで袋部３をシリンダ部１から取外すことが可能となる。
【００２５】
なお、このような引張り部３２にあっては、袋部３の外側面の互いに反対側となる二箇所に設けることが好ましい。このように形成しておくと、圧縮された袋部３を取外す際、互いに反対側となる二箇所の引張り部３２を引張ってバランス良く袋部３を取外すことができる。
【００２６】
【発明の効果】
上述のように請求項１記載の発明にあっては、円筒状をしたシリンダ部に内部にペースト材を充填した袋部を装填し、該袋部の前記シリンダ部の前端側の開口に臨む部分を開口すると共に、前記シリンダ部の前端側の開口縁にペースト材を吐出するためのノズルを有するキャップ部を着脱自在に取付け、シリンダ部の後端側よりピストン部にて袋部を前端側に向けて押圧して該袋部内のペースト材を前記ノズルより吐出するペースト材押出し器において、シリンダ部の前端側の開口縁に指が挿入可能な切欠を形成したので、切欠に外側から指を挿入して袋部の外側面のみに触れて袋部を取り出すことができて、指にペースト材が付着して汚れることがないものである。
【００２７】
また、請求項２記載の発明にあっては、円筒状をしたシリンダ部に内部にペースト材を充填した袋部を装填し、該袋部の前記シリンダ部の前端側の開口に臨む部分を開口すると共に、前記シリンダ部の前端側の開口縁にペースト材を吐出するためのノズルを有するキャップ部を着脱自在に取付け、シリンダ部の後端側よりピストン部にて袋部を前端側に向けて押圧して該袋部内のペースト材を前記ノズルより吐出するペースト材押出し器において、袋部に上記シリンダ部の前端側の開口縁にて折り返されてシリンダ部の外側面に位置する引張り部を設けたので、引張り部を引張るだけで袋部を取り出すことができて、指にペースト材が付着して汚れることがないものである。
【図面の簡単な説明】
【図１】本発明の一実施形態における主要部斜視図である。
【図２】同上における本体部及びピストン部の側面図である。
【図３】袋部をシリンダ部内に装填してキャップ部を取付ける際の斜視図である。
【図４】キャップ部及び袋部の前端部を開口する際の側断面図である。
【図５】キャップ部を取付けて使用可能となった状態を示す側断面図である。
【図６】ピストン部を押し切って袋部を圧縮してペースト材を使い切った状態を示す側断面図である。
【図７】本発明の他の実施形態の主要部斜視図である。
【符号の説明】
１  シリンダ部
１１  切欠
２  ペースト材
３  袋部
４  キャップ部
５  ピストン部
【図１】
2004167317.tif 000003
【図２】
2004167317.tif 000004
【図３】
2004167317.tif 000005
【図４】
2004167317.tif 000006
【図５】
2004167317.tif 000007
【図６】
2004167317.tif 000008
【図７】
2004167317.tif 000009